(57)【要約】【課題】軽い力でワンハンドで使用できるとともに、噴射ノズルの噴射方向を変えることができるようにしたエアゾール容器を用いた噴出容器を提供すること。【解決手段】エアゾール容器と、エアゾール容器のステムに取着された噴射体と、エアゾール容器の巻締部に取着された操作キャップとからなる噴出容器であって、噴射体が、噴射ノズルとその外側に設けられた案内筒を具えており、操作キャップが、その外周壁に上端をヒンジ部とし、下端に押え部を設けた操作板を具えており、該操作板の内面に前記案内筒の上面角部に当接する押圧板が設けられていることを特徴とする。【選択図】　　　　図１
2004123222.tif 000002
【特許請求の範囲】
【請求項１】
エアゾール容器と、エアゾール容器のステムに取着された噴射体と、エアゾール容器の巻締部に取着された操作キャップとからなる噴出容器であって、
噴射体が、噴射ノズルとその外側に設けられた案内筒を具えており、
操作キャップが、その外周壁に上端をヒンジ部とし、下端に押え部を設けた操作板を具えており、該操作板の内面に前記案内筒の上面角部に当接する押圧板が設けられていることを特徴とする噴出容器。
【請求項２】
操作キャップの押圧板が、案内筒の頂壁に設けた案内リブ内で摺動するようにしたことを特徴とする請求項１に記載の噴出容器。
【請求項３】
一対の操作板を、対向するように配設したことを特徴とする請求項１または請求項２記載の噴出容器。
【請求項４】
操作板が、一つの側に設けられ、対向する側には操作キャップ外周壁内周と噴射体の案内筒外周との間にガイド部材を設けたことを特徴とする請求項１記載の噴出容器。
【請求項５】
噴射ノズルの上方部に、交換可能なノズルチップを取着したことを特徴とする請求項１〜４記載の噴出容器。
【請求項６】
エアゾール容器と、エアゾール容器のステムに取着された噴射体と、エアゾール容器の巻締部に取着された操作キャップとからなる噴出容器であって、
噴射体が、噴射ノズルと、噴射ノズルを支持し、ステムと係合させる案内筒とからなり、
噴射ノズルの端部に軸体を設け、案内筒に前記軸体を支持する軸受を設けて、噴射ノズルの噴射方向を変更可能としたことを特徴とする噴出容器。
【請求項７】
噴射ノズルの軸体を、円柱状の枢軸とし、案内筒に設けた軸受を、円弧状の円筒軸受とし、
噴射ノズルを、傾斜可能としたことを特徴とする請求項６記載の噴出容器。
【請求項８】
噴射ノズルの軸体を球面軸とし、案内筒の軸受を球面軸受として、噴射ノズルの噴射方向を、球面上で変更可能としたことを特徴とする請求項６記載の噴出容器。
【発明の詳細な説明】
【０００１】
【発明の属する技術分野】
本発明は、頭髪用品、化粧品、消臭・制汗剤、その他の人体用品、家庭用品、食品等を噴射するエアゾール容器を用いた噴出容器に関する。
【０００２】
【従来の技術】
従来エアゾール容器を用いた噴出容器は、押ボタンを容器に対して軸線方向に押すものが一般的であり、また、噴出ノズルを横倒し状態から正立状態に操作したときに噴出ノズルによって、押ボタンを押圧してエアゾール容器から内容物を噴射するようにした噴出容器も、従来から知られている（例えば、特許文献１参照。）。
【０００３】
【特許文献１】
実公昭５８−４７９６８号公報
【０００４】
【発明が解決しようとする課題】
しかしながら、従来の噴出容器は、エアゾール容器のステムに対して噴射体を押圧する直圧構造であるため、押圧力を軽くすることができないという問題があった。
また、内容物の噴出方向は、容器本体に対して、一定の方向となっているため、容器本体を手に持って、所望する個所に噴射することができないという問題もあった。
【０００５】
本発明は、上記問題を解決することを課題として、軽い力でワンハンドで使用できるとともに、噴射ノズルの噴射方向を変えることができるようにしたエアゾール容器を用いた噴出容器を提供することを目的とする。
【０００６】
【課題を解決するための手段】
本発明は、上記の課題を解決するため、噴出容器として、エアゾール容器と、エアゾール容器のステムに取着された噴射体と、エアゾール容器の巻締部に取着された操作キャップとからなる噴出容器であって、噴射体が、噴射ノズルの外側に案内筒を具えており、操作キャップが、その外周壁に上端をヒンジ部とした操作板が形成され、操作板の内面に前記案内筒の上面角部に当接する押圧板が設けられていることを特徴とする構成を採用する。
【０００７】
具体的な実施態様として、上記構成に、押圧板が、案内筒の頂壁に設けた案内リブ内を摺動することを特徴とする構成を付加し、さらに、一対の操作板を、対向するように配設したことを特徴とする構成を付加する。
【０００８】
別実施態様として、噴出容器において、操作板が一つの側に設けられ、対向する側には操作キャップ外周壁内周と噴射体の案内筒外周との間にガイド部材を設けたことを特徴とする構成を採用する。
【０００９】
別実施態様として、上記構成に、噴射ノズルの上方部に、交換可能なノズルチップを取着したことを特徴とする構成を付加する。
【００１０】
噴射方向を変更可能とした噴出容器として、エアゾール容器と、エアゾール容器のステムに取着された噴射体と、エアゾール容器の巻締部に取着された操作キャップとからなる噴出容器であって、噴射体が、噴射ノズルと、噴射ノズルを支持し、ステムと係合させる案内筒とからなり、噴射ノズルの端部に軸体を設け、案内筒に前記軸体を支持する軸受を設けて、噴射ノズルの噴射方向を変更可能としたことを特徴とする構成を採用する。
【００１１】
噴出方向を変化させる噴出容器として、噴射ノズルの軸体を、円柱状の枢軸とし、案内筒に設けた軸受を、円弧状の円筒軸受とし、噴射ノズルを、傾斜可能としたことを特徴とする構成を付加する。
【００１２】
噴出方向を球面上で変化させる噴出容器として、噴射ノズルの軸体を球面軸とし、案内筒の軸受を球面軸受として、噴射ノズルの噴射方向を、球面上で変更可能としたことを特徴とする構成を付加する。
【００１３】
【発明の実施の形態】
次に、本発明の第１実施形態について図面を参照して説明する。
図１〜４に示すように、本発明の噴出容器は、エアゾール容器１と噴射体２、および操作キャップ３、カバーキャップ４とから構成されている。
【００１４】
噴射体２は、エアゾール容器１のステム５に嵌合し上方に噴出孔６を設けた噴射ノズル７と、噴射ノズル７の外側に設けた案内筒８とから構成されている。
案内筒８の上面には、一定の間隔をおいて案内リブ９ａ，９ｂが立設されており、案内筒８の下端にはフランジ１０が連設され、その周縁から側周壁１１が垂設されている。
側周壁１１は、後述する操作キャップ３の取付部１４の上方内面に近接し、噴射ノズル７の垂直方向への移動を安定して案内する。
【００１５】
案内リブ９ａ，９ｂは、案内筒８の周縁に沿って弧状に設けられており、案内リブ９ａ，９ｂの対向する端部間の案内筒８上面角部１２は、テーパー面、または円弧面となっている。
案内リブ９ａ，９ｂは、平行に配設された直線状のものでもよい。
【００１６】
操作キャップ３は、エアゾール容器１の巻締部１３に取着された円形の取付部１４と、その上方に延びるドーム状の外周壁１５と、外周壁１５の頂部１５ａに設けられた噴射ノズル７を摺動可能に軸支する把持部１６とを具えている。
外周壁１５には、上下に延びるスリット１７ａ，１７ｂと、その下端を結ぶ円弧状のスリット１８によって操作板１９が形成され、該操作板１９は、スリット１７ａ，１７ｂの上端をヒンジ部２０として径方向に変形、復元可能となっている。
操作板１９の下部形状は、角形状や楕円形状等、任意の形状とすることができる。
【００１７】
操作板１９の内面には、案内筒８の上面角部１２に係合する押圧板２１が設けられ、円弧状のスリット１８に囲まれた部分には、押え部２２が突設されている。
押圧板２１の縦断面は、垂直面と上面角部１２に係合する傾斜面としているが、上面角部１２に係合して上面角部１２を押下げるよう作用するものであれば、円弧面、或いは水平面等であってもよい。
【００１８】
取付部１４の外周面上部は縮径され、操作キャップ３を被うカバーキャップ４の嵌合部となっている。
【００１９】
次に、本噴出容器の作用効果について説明する。
図５に示すように、押え部２２を両側から指で押すと、操作板１９はヒンジ部２０を軸として廻動され、案内筒８の上面角部１２に当接している押圧板２１が内方に移動し、案内筒８を下方に押圧するので、ステム５を押下げ、エアゾール容器１から内容物が噴出される。
そして、押え部２２を、押圧板２１の当接部より下方に設けるほど、押え部２２がヒンジ部２０を中心として廻動し、テコの原理が作用し、軽い力でステム５の押圧、噴出が可能となる。
【００２０】
また、操作板１９の押圧板２１は、図４に示すように、案内筒８の頂壁に設けた案内リブ９ａ，９ｂ内で摺動するので、押圧板２１がぶれることなくスムースに可動するのみならず、噴出孔６は操作キャップ３に軸支され、一定位置に定まるので噴射パターンの安定も図れるのである。
【００２１】
また、押え部２２の指の当たる部分を、図１、２に示すように、大きくして、外側に突出して設ければより一層押易くなる。
【００２２】
また、押え部２２は対向する一対とすることにより押す力が倍加し、より軽い力で噴射させることができる。
【００２３】
次に、本発明の第２実施形態について図面を参照して説明する。
本実施形態は、操作板は一方のみとし、他方にガイド部材を設けたもので、同一の構成部分は同一の符号を付して図示し、説明を簡略にする。
【００２４】
第２実施形態は、図６，７に示すように、操作キャップ３の操作板１９は一方のみとし、対向する側の外周壁１５内面に案内板３０を垂設し、案内筒８の外周に案内板３０を挟む一対のガイド３１を設けたものである。
案内板３０の押え部２２を押圧したときには、噴射体２が廻動することなくスムースに噴射が得られる。
また、案内板３０とガイド３１は、案内板３０を二枚とし、その間に一つのガイド３１を案内筒８に設けるようにしてもよい。
【００２５】
本実施形態は、ステム５が押下げ式のエアゾールバルブに用いられたものであるが、ステムが傾倒式のものを用いることができる。
すなわち、操作板１９を操作することによって噴射ノズル７が把持部１６を中心に廻動させることができ、噴射ノズル７の廻動に応じてステム５を廻動させ、バルブが開かれる。
その際には、例えば、噴射ノズル７が傾倒できるように案内筒８と案内板３０との間、および案内筒８下方の側周壁１１と取付部１４の上方内面との間に、間隙を設けるようにしてもよい。
【００２６】
次に、第３実施形態について説明する。
本実施形態は、前記各実施形態の噴射ノズル上方部分を交換可能なノズルチップとしたものである。
図８に示すように、噴射ノズル７の上端には、取付部３５が形成され、上端に噴射口３６を設けたノズルチップ３７が取着されるようになっている。
ノズルチップ３７を変えることによって、内容液の特性に合わせ噴出パターンを任意に選択することができる。
【００２７】
次に、第４実施形態について説明する。
本実施形態は、噴射ノズルを一定範囲で傾斜させ、所望する斜め方向に噴出するようにしたものである。
図９に示すように、本実施形態の噴出容器は、エアゾール容器１ａと、噴射体２ａ、操作キャップ３ａ、カバーキャップ４ａとからなっている。
【００２８】
噴射体２ａは、噴射ノズル４０と案内筒４１とを具えており、噴射ノズル４０は、中央に流路４２が形成され、先端に噴射口４３を穿孔した筒体４４と、筒体４４の下端に形成された円柱状の枢軸部４５とからなっている。
枢軸部４５は、筒体４４に交差するように形成され、その中心には、軸ピン４６が突設されている。
【００２９】
案内筒４１は、上面に軸受部４７を立設し、下面にステム係合筒４８を垂設した上壁４９と側周壁５０とを具えている。
図９〜１１に示すように、軸受部４７は、軸挿入部５１と、半円状の円筒軸受５２を具えており、軸挿入部５１の側面には、軸ピン４６を嵌挿、軸支するための嵌挿溝５３が設けられている。
嵌挿溝５３の下端は、半円形の軸受底５３ａとなっており、嵌挿溝５３の巾は、軸ピン４６より狭くして軸ピン４６を軸受底５３ａに押込んだときに、上方に抜け出さないようにしている。
【００３０】
軸受部４７の中心には、ステム係合筒４８の下端まで達する流路５４が穿設されており、円筒軸受５２の下面には、流路５４に連通する一定角度範囲の流路５５が刻設されている。
【００３１】
ステム係合筒４８は、エアゾール容器１ａのステム５ａに係合し、前記流路５４はステム５ａの噴出孔に連通している。
側周壁５０の下端には、フランジ５７が連設され、その周縁から周壁５８が垂設されている。
【００３２】
操作キャップ３ａは、エアゾール容器１ａの巻締部１３ａに取着された取付部６０と、その上方に延び、上部を球面としたドーム状の外周壁６１とを具えている。
外周壁６１の頂部６２には、噴射ノズル４０の廻動方向に延びる広巾の開口６３と、細巾の案内溝６４が設けられ、開口６３には、操作レバー６５が廻動自在に挿入されている。
【００３３】
操作レバー６５は、噴射ノズル４０を摺動自在に軸支する把持部６６を中央部に設けた、噴射ノズル４０の廻動方向に延びる円弧状のレバー板６７を具えている。
レバー板６７の両側は、開口６３周縁を被い、一定の押圧力をもって当接するようになっており、レバー板６７の端部には、下端に突起６８を設けた係止片６９が垂設されている。
係止片６９は、案内溝６４に嵌挿案内され、操作レバー６５が妄動しないようにされている。
【００３４】
外周壁６１には、開口６３に直交する方向に上下に延びるスリット７０ａ，７０ｂと、その下端を結ぶ円弧状のスリット７１によって操作板７２が形成され、該操作板７２は、スリット７０ａ，７０ｂの上端をヒンジ部７３として、径方向に変形、復元可能となっている。
操作板７２の内面には、案内筒４１の上面角部に係合する押圧板７４が設けられ、円弧状のスリット７１を囲む部分には、押え部７５が突設されている。
【００３５】
取付部６０の外周面上部は、縮径され、操作キャップ３ａを被うカバーキャップ４ａの嵌合部となっている。
【００３６】
次に、本実施形態噴出容器の作用効果について説明する。
内容物の噴射にあたって、図１２に示すように、操作レバー６５を廻動すると、
把持部６６に支持された噴射ノズル４０は、その枢軸部４５が案内筒４１に設けた軸受部４７に軸支されているので、軸ピン４６を中心に噴射ノズル４０を廻動させることができる。
【００３７】
そして、レバー板６７の両側と開口６３周辺の外周壁６１との間の押圧力によって、妄動することはなく、手を離したときに、傾斜位置に停止させることができる。
その際、噴射ノズル４０の流路４２とステム係合筒４８の流路５４は、円筒軸受５２下面の流路５５を介して連続され、ステム５ａの噴出孔に連通される。
次いで、操作板７２の押え部７５を両側から指で押すと、第１実施形態と同様の作用により、操作板７２の押圧板７４が案内筒４１を押下げ、ステム係合筒４８がステム５ａを押圧して、内容物が噴射ノズル４０から噴出される。
【００３８】
なお、噴射ノズルの傾斜角度範囲は、任意の枢軸形状と軸受形状との組み合わせにより、所望の角度範囲とすることができる。
【００３９】
次に、第５実施形態について説明する。
本実施形態は、噴射ノズルの方向を球面上の一定範囲の方向に変更可能としたもので、前第４実施形態において、噴射ノズルの枢軸部と、案内溝の軸受部、および操作レバーの構成を変更したものである。
以下、相違点を中心に説明する。
【００４０】
図１３において、１ｂはエアゾール容器、２ｂは噴射体、３ｂは操作キャップ、４ｂはカバーキャップである。
図１３，１４に示すように、噴射体２ｂは、噴射ノズル８０と案内筒８１とを具えており、噴射ノズル８０は、中央に流路８２が形成され、先端に噴射口８３を穿孔した筒体８４と、筒体８４の下端部に形成された球面軸８５とからなっている。
【００４１】
図１４（ｂ）に示すように、案内筒８１は、上面に軸受部８６を設け、下面にステム係合筒８７を垂設した上壁８８と、側周壁８９とを具えている。
軸受部８６は、上壁８８に立設された円筒状の軸受筒９０と、軸押え９１とを具えており、軸受筒９０の中心には、ステム係合筒８７の下端まで達する流路９２が穿孔されている。
【００４２】
軸受筒９０の上面には、球面軸８５を保持する半球状の球面軸受９３が設けられて、該球面軸受９３の中央には、球面状の凹部９４が刻設されており、軸受筒９０外周上部にはねじ９５が螺設されている。
【００４３】
軸押え９１は、上壁９６と側周壁９７とからなり、上壁９６の中央には、球面軸８５を保持する球帯軸受９８が穿設されており、側周壁９７内周には、ねじ９５に螺合するねじ９９が螺設されている。
軸押え９１を球面軸８５の上面に被せ、軸押え９１を軸受筒９０に螺着することによって、球面軸８５を軸受部８６に軸着することができる。
【００４４】
前記実施形態では、軸押え９１によって球面軸８５を保持するように構成しているが、軸受筒９０の上部内面に膨出環等を設け、球面軸８５を保持するようにしてもよい。
この場合、軸押え９１が不要となるため、パーツ数の低減、およびコストの低減となる。
【００４５】
ステム係合筒８７は、エアゾール容器１ｂのステム５ｂに係合し、流路９２は、ステム５ｂの噴出孔に連通している。
【００４６】
側周壁８９の下端には、フランジ１００が連設され、その周辺から外周壁１０１が垂設されている。
【００４７】
図１４，１５に示すように、操作キャップ３ｂは、取付部１０２と、取付部１０２の上方に延び、上部を球面ドーム１０３とした外周壁１０４を具えている。球面ドーム１０３の上部は、円形の開口１０５となっており、開口１０５には、廻動操作板１０６が開口１０５周辺を被うよう架設されている。
廻動操作板１０６は、球面ドーム１０３と同形の球面によって形成され、中央部には、噴射ノズル８０を上下摺動自在に軸支するノズル支持部１０７が設けられている。
【００４８】
球面ドーム１０３の下部から、外周壁１０４の側周面にかけて、上下に延びるスリット１０８ａ，１０８ｂと、その下端を結ぶ円弧状のスリット１０９が刻設されている。
スリット１０８ａ，１０８ｂとスリット１０９によって、操作板１１０が形成され、スリット１０８ａ，１０８ｂの上端をヒンジ部１１１として、径方向に変形、復元可能となっている。
【００４９】
操作板１１０の内面には、案内筒８１の上端筒部に係合する上下に延びる押圧板１１２が突設されており、円弧状のスリット１０９を囲む部分には、押え部１１３が突設されている。
【００５０】
取付部１０２は、エアゾール容器１ｂの巻締部１３ｂに嵌合する周壁１１４と、上端に膨出部を設けたカバーキッャプ４ｂの取付周壁１１５とを具えている。
【００５１】
次に、本実施形態噴出容器の作用効果について説明する。
内容物の噴射にあたって、図１６に示すように、廻動操作板１０６を廻動させると、噴射ノズル８０の球面軸８５が球面軸受９３と軸押え９１を具えた軸受部８６によって支持されているので、噴射ノズル８０を球面上で一定の方向に向けることができる。
【００５２】
その際、廻動操作板１０６の周縁部が、球面ドーム１０３に圧接されながら動くので、妄動することはなく、手を離したときには、廻動操作板１０６は、その周縁が球面ドーム１０３に圧接されているので、噴射ノズル８０は定位置に維持される。
そのとき、噴射ノズル８０がどの方向に向いていても、その流路８２は凹部９４に連通し、流路９２を通じてステム５ｂの噴出孔に連通されている。
【００５３】
次いで、操作板１１０の押え部１１３を両側から指で押すと、第１実施形態と同様に、ステム５ｂが押下げられ、内容物を噴射ノズル８０から噴射させることができる。
【００５４】
【発明の効果】
本発明は、上記のように構成されているから、次の効果を奏する。
操作キャップの操作板が、上方のヒンジ部を中心に廻動可能とし、下方に設けた押え部を指で押すと、押圧板が摺動して案内筒の上面角部を押下げ、噴射体が下方に移動するようになっており、押下げ操作がテコの原理を応用しているので、小さい力で押圧部を押すことでワンハンドでの使用が可能となった。
そのため、エアゾール容器の大小に係わらず簡便に使用できるので、用途を広げることもできる。
【００５５】
噴射ノズルの下端に円柱状枢軸を設け、案内筒の軸受部に廻動自在に取着させているので、操作レバーを廻動操作することによって、噴射ノズルを、容器本体に対して傾斜させることができるようになった。
また、噴射ノズルの下端に、球面軸を設け、案内筒の球面軸受に廻動自在に取着させるときには、噴射ノズルを球面上で廻動させることができる。
したがって、噴出容器の軸方向に対して、噴射ノズルの噴出方向を所望の方向にすることができるようになった。
【図面の簡単な説明】
【図１】本発明第１実施形態の噴出容器の縦断面正面図である。
【図２】カバーキャップを除いた側面図である。
【図３】カバーキャップを除いた上面図である。
【図４】図１のＡ−Ａ線における押圧板ガイド部分の断面端面図である。
【図５】噴出容器の作動状態を示す縦断面正面図である。
【図６】第２実施形態の噴出容器の縦断面正面図である。
【図７】図６のＡ−Ａ線におけるガイド部材の要部説明図である。
【図８】第３実施形態の噴出容器の縦断面正面図である。
【図９】第４実施形態の噴出容器の縦断面正面図である。
【図１０】噴出容器の説明図で、（ａ）は一部断面側面図、（ｂ）は案内筒の断面図である。
【図１１】噴出容器の上面図である。
【図１２】噴出ノズルの説明図で、（ａ）は傾斜噴射時の断面側面図、（ｂ）は断面正面図である。
【図１３】第５実施形態の噴出容器の縦断面正面図である。
【図１４】噴出容器の説明図で、（ａ）は一部断面側面図、（ｂ）は案内筒の断面図である。
【図１５】噴出容器の上面図である。
【図１６】噴射ノズルの廻動噴出時の説明図で、（ａ）は断面正面図、（ｂ）は上面図である。
【符号の説明】
１、１ａ、１ｂ　　　エアゾール容器
２、２ａ、２ｂ　　　噴射体
３、３ａ、３ｂ　　　操作キャップ
４、４ａ、４ｂ　　　カバーキャップ
５、５ａ、５ｂ　　　ステム
６　　　　　　　　　噴出孔
７、４０、８０　　　噴射ノズル
８、４１、８１　　　案内筒
９ａ，ｂ　　　　　　案内リブ
１２、１２ａ　　　　上面角部
１４、３５、６０、１０２　取付部
１５、６１、１０４　外周壁
１５ａ、６２　　　　頂部
１６、１６ａ　　　　把持部
１７ａ，ｂ、７０ａ，ｂ、１０８ａ，ｂ　スリット
１８、７１、１０９　スリット
１９　　　　　　　　操作板
２０　　　　　　　　ヒンジ部
２１　　　　　　　　押圧板
２２　　　　　　　　押え部
３０　　　　　　　　案内板
３１　　　　　　　　ガイド
３６　　　　　　　　噴射口
３７　　　　　　　　ノズルチップ
４２、５４、５５、５６、８２、９２　　流路
４３、８３　　　　　噴出口
４４、８４　　　　　筒体
４５　　　　　　　　枢軸部
４６　　　　　　　　軸ピン
４７、８６　　　　　軸受部
４８、８７　　　　　ステム係合筒
４９、８９、９６　　上壁
５０、９０、９７　　側周壁
５１　　　　　　　　軸挿入部
５２　　　　　　　　円筒軸受
５３　　　　　　　　嵌挿溝
５３ａ　　　　　　　軸受底
６３、１０５　　　　開口
６４　　　　　　　　案内溝
６５　　　　　　　　操作レバー
６６　　　　　　　　把持部
６７　　　　　　　　レバー板
６８　　　　　　　　突起
６９　　　　　　　　係止片
７２、１１０　　　　操作板
７３、１１１　　　　ヒンジ部
７４、１１２　　　　押圧板
７５、１１３　　　　押え部
８５　　　　　　　　球面軸
８７　　　　　　　　ステム係合筒
９１　　　　　　　　軸押え
９３　　　　　　　　球面軸受
９４　　　　　　　　凹部
９５、９９　　　　　ねじ
９８　　　　　　　　球帯軸受
１０３　　　　　　　球面ドーム
１０６　　　　　　　廻動操作板
１０７　　　　　　　ノズル支持部
【図１】
2004123222.tif 000003
【図２】
2004123222.tif 000004
【図３】
2004123222.tif 000005
【図４】
2004123222.tif 000006
【図５】
2004123222.tif 000007
【図６】
2004123222.tif 000008
【図７】
2004123222.tif 000009
【図８】
2004123222.tif 000010
【図９】
2004123222.tif 000011
【図１０】
2004123222.tif 000012
【図１１】
2004123222.tif 000013
【図１２】
2004123222.tif 000014
【図１３】
2004123222.tif 000015
【図１４】
2004123222.tif 000016
【図１５】
2004123222.tif 000017
【図１６】
2004123222.tif 000018